(57)【要約】      （修正有）【課題】背負式作業機の背負フレームを背負うための左右一対のショルダーストラップをチェストストラップにより連結したときに、背負フレームを素早く下ろすことができるようにする。【解決手段】背負式作業機１０は、背負フレーム１１を作業者が背負うための左右一対のショルダーストラップ１４，１５と、左右一対のショルダーストラップ１４，１５を連結するチェストストラップとを備え、左側のショルダーストラップ１４はチェストストラップを連結した連結箇所にて分離可能な上側ストラップ１４ａと下側ストラップ１４ｂとを備え、連結箇所には上側ストラップ１４ａと下側ストラップ１４ｂとチェストストラップとの３つのストラップを連結した状態から、一度の操作により下側ストラップ１４ｂとチェストストラップを離脱させる離脱装置３０を設けた。【選択図】図２
2015083097.tif 000002
【特許請求の範囲】
【請求項１】
作業者が背負う背負フレームと、
前記背負フレームに搭載した原動機と、
前記原動機により駆動される被動装置と、
前記背負フレームを作業者が背負うための左右一対のショルダーストラップと、
前記左右一対のショルダーストラップを連結するチェストストラップとを備えた作業機であって、
前記左右一対のショルダーストラップの一方はチェストストラップを連結した連結箇所にて分離可能な上側ストラップと下側ストラップとを備え、
前記連結箇所には前記上側ストラップと前記下側ストラップと前記チェストストラップとの３つのストラップを連結した状態から、一度の操作により前記３つのストラップのうちの少なくとも２つを離脱させる離脱装置を設けたことを特徴とする背負式作業機。
【請求項２】
請求項１に記載の背負式作業機において、
前記離脱装置は、前記３つのストラップのうちの２つのストラップの各連結端部に設けた２つのプラグと、前記３つのストラップの残る１つのストラップの連結端部に固定されて、前記２つのプラグが挿入されるプラグ挿入孔を有したソケット体と、前記ソケット体に回動可能に取り付けられ、前記各プラグが離脱可能に係合する２つの係合フック部を有した回動式レバーとを備え、前記回動式レバーを装着位置としたときに前記２つの係合フック部が前記２つのプラグに係合するようにし、前記回動式レバーを離脱位置としたときに前記２つの係合フック部が前記２つのプラグから一度に離脱するようにしたことを特徴とする背負式作業機。
【請求項３】
請求項２に記載の背負式作業機において、
前記ソケット体には前記回動式レバーを前記装着位置に付勢する付勢手段を設けたことを特徴とする背負式作業機。
【請求項４】
請求項２または３に記載の背負式作業機において、
前記回動式レバーは円板形をした本体部を備え、前記本体部の中央部から径方向の両側に内側に凹む凹部を形成して、前記本体部の中央部を摘み部としたことを特徴とする背負式作業機。
【発明の詳細な説明】
【技術分野】
【０００１】
本発明は、作業者が背負う背負フレームに搭載した原動機により被動装置を駆動させる作業機に関し、特に、背負フレームを背負うための左右一対のショルダーストラップをチェストストラップにより連結した背負式作業機に関する。
【背景技術】
【０００２】
特許文献１には、空気を噴出するブロワユニットを背負フレームに搭載した背負式ブロワが開示されている。この背負式ブロワは、作業者が背負う背負フレームにエンジンにより駆動されるブロワユニットを搭載し、ブロワユニットの噴出ダクトに連通接続した送風管から空気を放出させている。この背負式ブロワの背負フレームには左右一対のショルダーストラップが設けられており、これらショルダーストラップを肩から掛けるようにして背負フレームを背負うようにしている。
【先行技術文献】
【特許文献】
【０００３】
【特許文献１】特開２００８−００２３１０号公報
【発明の概要】
【発明が解決しようとする課題】
【０００４】
特許文献１の背負式ブロアにおいては、背負フレームに搭載したエンジンは重量物であるので、左右一対のショルダーストラップを作業者の胸部付近にてチェストストラップにより連結することによって、左右のショルダーストラップが外側にずれないにして背負フレームの装着感を高めるようにするのが好ましい。この場合には、チェストストラップは、左右方向の中央部で左右２つに分割されており、左右の各部の一端部が左右のショルダーストラップに連結固定され、左右の各部の他端部がバックルによって互いに着脱可能に連結される。
【０００５】
左右一対のショルダーストラップをチェストストラップにより連結すると、背負フレームの装着感を高めることができるが、ブロワユニットに不具合が生じて、背負フレームを素早く下ろす必要が生じる場合がある。このような状況で、チェストストラップの中間部のバックルを操作して、チェストストラップを左右の各部に切り離してから、ショルダーストラップを肩から外さなければならないと、背負フレームを素早く下ろすことができないおそれがあった。本発明は、背負式作業機の背負フレームを背負うための左右一対のショルダーストラップをチェストストラップにより連結したときに、背負フレームを素早く下ろすことができるようにすることを目的とする。
【課題を解決するための手段】
【０００６】
上記課題を解決するために、本発明は、作業者が背負う背負フレームと、背負フレームに搭載した原動機と、原動機により駆動される被動装置と、背負フレームを作業者が背負うための左右一対のショルダーストラップと、左右一対のショルダーストラップを連結するチェストストラップとを備えた作業機であって、左右一対のショルダーストラップの一方はチェストストラップを連結した連結箇所にて分離可能な上側ストラップと下側ストラップとを備え、連結箇所には上側ストラップと下側ストラップとチェストストラップとの３つのストラップを連結した状態から、一度の操作により３つのストラップのうちの少なくとも２つを離脱させる離脱装置を設けたことを特徴とする背負式作業機を提供するものである。
【０００７】
上記のように構成した背負式作業機においては、左右一対のショルダーストラップの一方はチェストストラップを連結した連結箇所にて分離可能な上側ストラップと下側ストラップとを備え、連結箇所には上側ストラップと下側ストラップとチェストストラップとの３つのストラップを連結した状態から、一度の操作により３つのストラップのうちの少なくとも２つを離脱させる離脱装置を設けたので、一度の操作によりチェストストラップを一方のショルダーストラップから切り離すようにできるとともに、一方のショルダーストラップを肩から外すことができ、背負フレームを素早く下ろすことができるようになった。
【０００８】
上記のように構成した背負式作業機においては、離脱装置は、３つのストラップのうちの２つのストラップの各連結端部に設けた２つのプラグと、３つのストラップの残る１つのストラップの連結端部に固定されて、２つのプラグが挿入されるプラグ挿入孔を有したソケット体と、ソケット体に回動可能に取り付けられ、各プラグが離脱可能に係合する２つの係合フック部を有した回動式レバーとを備え、回動式レバーを装着位置としたときに２つの係合フック部が２つのプラグに係合するようにし、回動式レバーを離脱位置としたときに２つの係合フック部が２つのプラグから一度に解離するようにすれば、離脱装置の回動式レバーを回動させる一度の操作で、チェストストラップを一方のショルダーストラップから切り離すようにできるとともに、一方のショルダーストラップを肩から外すことができ、背負フレームを素早く下ろすことができるようになった。また、回動式レバーを回動させる操作によりソケット体から２つのプラグを離脱させるようにしたことで、作業者が作業中に回動式レバーを押動するように接触しても、チェストストラップ及び一方のショルダーストラップが意図せずに外れることを防ぐことができた。
【０００９】
上記のように構成した背負式作業機においては、ソケット体には回動式レバーを装着位置に付勢する付勢手段を設けるのが好ましく、このようにしたときには、回動式レバーを操作しないときに、回動式レバーが装着位置から離脱位置に回動するのを防ぐことができ、背負フレームを背負っているときに、意図せずにチェストストラップ及び一方のショルダーストラップが外れないようになった。
【００１０】
上記のように構成した背負式作業機においては、回動式レバーは円板形をした本体部を備え、本体部の中央部から径方向の両側に内側に凹む凹部を形成して、本体部の中央部を摘み部とするのが好ましく、このようにしたときには、回動式レバーの摘まみ部が作業者の手等に意図せずに当たらないようになった。
【図面の簡単な説明】
【００１１】
【図１】本発明の背負式作業機の一実施形態である背負式ブロワの側面図である。
【図２】図１の正面図である。
【図３】スタビライザーストラップを背負フレームに取り付けるためのフックの斜視図である。
【図４】背負フレームに取り付けたフックを示すための背面から見た一部拡大図である。
【図５】図４のＡ−Ａ線断面図である。
【図６】回動式レバーが装着位置にあるときの（ａ）離脱装置の一部を破断した正面図であり、（ｂ）Ｂ−Ｂ線における断面図である。
【図７】回動式レバーが離脱位置にあるときの（ａ）離脱装置の一部を破断した正面図であり、（ｂ）Ｂ−Ｂ線における断面図である。
【図８】Ｓ字形をしたフックにより３つのストラップを連結した概略図であり、（ａ）３つのストラップを連結させたときの概略図であり、（ｂ）フックを回動させて２つのストラップを離脱させるときの概略図である。
【図９】本発明の背負式作業機の他の実施形態である背負式集塵機の側面概略図である。
【図１０】本発明の背負式作業機の他の実施形態である背負式刈払機の側面概略図である。
【発明を実施するための最良の形態】
【００１２】
以下、本発明の背負式作業機の一実施形態である背負式ブロワを添付図面を参照して説明する。図１に示したように、背負式ブロワ１０は、作業者が背負う背負フレーム１１に空気を噴出するブロワユニット２０を搭載し、ブロワユニット２０の噴出ダクト２１ａに空気を放出させる風管２４を連通接続したものである。
【００１３】
図１に示したように、背負フレーム１１は作業者がブロワユニット２０を背負って運ぶためのものである。背負フレーム１１は、作業者の背中に沿って配置される背板部１２と、背板部１２の下端から後方に延びる台座部１３とからなり、側面から見た形状がＬ字形をしている。
【００１４】
図２に示したように、背負フレーム１１の背板部１２には作業者が背負うための左右一対のショルダーストラップ１４，１５が取り付けられている。左側（作業者が背負フレーム１１を背負ったときを基準とした左側であり、以後、左右方向を示す説明も同様である）のショルダーストラップ１４は、一端部が背負フレーム１１の上部に固定された上側ストラップ１４ａと、一端部が背負フレーム１１の下部に固定された下側ストラップ１４ｂとからなり、上側ストラップ１４ａと下側ストラップ１４ｂは各々の他端部を連結端部として互いに離脱可能に連結されている。
【００１５】
図２に示したように、また、左右一対のショルダーストラップ１４，１５は作業者の胸部の位置にてチェストストラップ１６により連結されている。チェストストラップ１６は左側ストラップ１６ａと右側ストラップ１６ｂとからなり、左右側ストラップ１６ａ，１６ｂがバックル１７により着脱可能に連結されている。
【００１６】
図１に示したように、左右のショルダーストラップ１４，１５の上部にはスタビライザーストラップ１８，１８が設けられており、スタビライザーストラップ１８，１８は一端部が左右のショルダーストラップ１４，１５の上部に取り付けられ、他端部が背負フレーム１１の上端部に着脱自在に取り付けられている。スタビライザーストラップ１８，１８はブロワユニット２０を搭載した背負フレーム１１が自重によって後側に傾くのを防ぐ機能を有している。各スタビライザーストラップ１８の他端部には図３に示したフック１９が取り付けられており、フック１９を背負フレーム１１の取付孔部１１ａに着脱可能に係合させることで、各スタビライザーストラップ１８の他端部を背負フレーム１１に着脱可能に取り付けている。
【００１７】
図３〜図５に示したように、フック１９は柱状をした本体部１９ａを備え、本体部１９ａにスタビライザーストラップ１８を取り付けるようにしている。本体部１９ａの両側部には外側に付勢された爪部１９ｂが設けられており、これら爪部１９ｂが取付孔部１１ａの左右両側部の前縁に係止して、フック１９が後側に抜けないようになっている。また、取付孔部１１ａ内の左右両側部には上下方向に延びる係止柱部１１ｂが形成されており、フック１９の本体部１９ａがこれら係止柱部１１ｂに係止して前側に抜けないようになっている。フック１９の本体部１９ａには後側に延びる舌部１９ｃが設けられており、舌部１９ｃは上下に配置されたスタビライザーストラップ１８に係止して、本体部１９ａが回動するのを防止している。なお、このフック１９を背負フレーム１１から取り外すときには、フック１９の左右両側部の爪部１９ｂを内側に弾性変形させることにより、爪部１９ｂを取付孔部１１ａの左右両側部の前縁から解離させ、フック１９を後側に取り外すようする。
【００１８】
図１に示したように、台座部１３にはブロワユニット（被動装置）２０が搭載されている。ブロワユニット２０は、ボリュートケース２１と、ボリュートケース２１内に回転可能に支持したファン２２と、ボリュートケース２１に一体的に組み付けてファン２２を回転駆動させるエンジン（原動機）２３とを備えている。ボリュートケース２１の右側部には前側の吸気開口から吸い込んだ外気を噴出する噴出ダクト２１ａが一体的に形成されており、この噴出ダクト２１ａには風管２４が連通接続されている。風管２４の長手方向の中間部には作業者が把持するためのグリップハンドル２５が設けられている。グリップハンドル２５にはエンジン２３の出力を調整するスロットルレバー２６が設けられている。
【００１９】
図２に示したように、背負式ブロワ１０は左側のショルダーストラップ１４の上下側ストラップ１４ａ，１４ｂの連結位置に離脱装置３０を備えている。離脱装置３０は上下側ストラップ１４ａ，１４ｂとチェストストラップ１６（の左側ストラップ１６ａ）との３つのストラップを連結した状態から、一度の操作により下側ストラップ１４ｂとチェストストラップ１６（の左側ストラップ１６ａ）とを離脱させるためものである。離脱装置３０は、下側ストラップ１４ｂの上端部と、チェストストラップ１６（左側ストラップ１６ａ）の左端部とにプラグ３１，３２と、上側ストラップ１４ａの下端部にソケット体３３とを備えている。
【００２０】
図６に示したように、プラグ３１，３２は各ストラップ１４ａ，１６ａを上側ストラップ１４ａの下端部に固定したソケット体３３に装着するためのものである。プラグ３１は下側ストラップ１４ｂの上端部に固定されたベルト固定部３１ａと、ベルト固定部３１ａから先端側に延びてソケット体３３に挿入される挿入部３１ｂとを備えている。挿入部３１ｂは共にＵ字形をした内側部３１ｃと外側部３１ｄとからなり、内側部３１ｃと外側部３１ｄとは閉じた側を先端側となるようにしてベルト固定部３１ａに一体的に形成されている。挿入部３１ｂの内側部３１ｃの先端部には後述する回動式レバー３４側に突出する係合爪部３１ｅが形成されている。プラグ３２は、プラグ３１と同様の構成であり、チェストストラップ１６（の左側ストラップ１６ａ）の左端部に固定されたベルト固定部３２ａと、ベルト固定部３２ａから先端側に伸びてソケット体３３に挿入される挿入部３２ｂとを備えている。挿入部３２の先端部には後述する回動式レバー３４側に突出する係合爪部３２ｅが形成されている。
【００２１】
ソケット体３３は前後方向の厚さを薄くした略直方体形状のケーシング３３ａを備えており、ケーシング３３ａの上部には上側ストラップ１４ａの下端部に固定されたベルト固定部３３ｂが一体的に設けられている。ケーシング３３ａの下面及び右側面にはプラグ３１，３２が挿入されるプラグ挿入孔３３ｃ，３３ｄが形成されている。ケーシング３３ａの後壁内面には、プラグ３１，３２を挿入したときの挿入部３１ｂ，３２ｂの先端部と対向する位置にて前方に突出する板ばね部３３ｅ，３３ｅが設けられており、これら板ばね部３３ｅ，３３ｅは挿入部３１ｂ，３２ｂの先端部をソケット体３３から離脱する方向に付勢している。
【００２２】
図６に示したように、ケーシング３３ａの前壁中央部には円形の貫通孔３３ｆが形成されており、ケーシング３３ａには貫通孔３３ｆを形成した位置に回動式レバー３４が設けられている。回動式レバー３４は円板形をした本体部３４ａの中心部にてケーシング３３ａ内に突出して設けた支持軸３４ｂがケーシング３３ａの後壁内面の中央部に設けた支持筒部３３ｇに回動自在に嵌合支持されている。回動式レバー３４は本体部３４ａの前面の中央部から径方向の両側に内側に凹む凹部が形成され、本体部３４ａの中央部を作業者が摘まむ摘まみ部３４ｃとしている。
【００２３】
また、回動式レバー３４の後面にはプラグ３１，３２の係合爪部３１ｅ，３２ｅに係合可能な係合フック部３４ｄ，３４ｅが設けられている。図６に示したように、回動式レバー３４が装着位置にある状態で、係合フック部３４ｄ，３４ｅは回動式レバー３４の下部と右部に設けられている。回動式レバー３４が装着位置にあるときは、係合フック部３４ｄ，３４ｅがプラグ３１，３２の係合爪部３１ｅ，３２ｅに係合して、プラグ３１，３２がソケット体３３に装着されることになる。図７に示したように、回動式レバー３４を装着位置から図に示した反時計回り（または時計回り）に４５°回動させると、係合フック部３４ｄ，３４ｅがプラグ３１，３２の係合爪部３１ｅ，３２ｅから解離し、板ばね３３ｅ，３３ｅにより押し出されるようにしてプラグ３１，３２が図７（ａ）の２点鎖線で示したようにソケット体３３から離脱する。
【００２４】
図６（ａ）に示したように、ケーシング３３ａの上部には円弧形に延びる２つのばね収容部３３ｈ，３３ｈが形成されており、ばね収容部３３ｈ，３３ｈにはコイルスプリング（付勢手段）３５，３５が収容されている。回動式レバー３４の後面上部には位置決め用突部３４ｆがコイルスプリング３５，３５の間に突出して設けられており、位置決め用突部３４ｆが両側のコイルスプリング３５，３５により左右方向の中央位置に付勢されている。位置決め用突部３４ｆが両側のコイルスプリング３５，３５により中央位置に付勢された状態では、回動式レバー３４の係合フック部３４ｄ，３４ｅがプラグ３１，３２の係合爪部３１ｅ，３２ｅに係合してプラグ３１，３２がソケット体３３に装着される位置、すなわち回動式レバー３４が装着位置となっている。なお、この実施形態では、コイルスプリング３５，３５により回動式レバー３４を装着位置に付勢したが、これに限られるものでなく、板ばねまたはゴム等の弾性体により回動式レバー３４を装着位置に付勢させてもよい。
【００２５】
上記のように構成した背負式ブロワ１０の作動について説明する。エンジン２３を起動させてから、左右のショルダーストラップ１４，１５を作業者の肩に掛けて背負フレーム１１を背負い、チェストストラップ１６の左右側ストラップ１６ａ，１６ｂをバックル１７により連結する。この状態で、作業者は右手に風管２４のグリップハンドル２５を把持し、手指によりスロットルレバー２６を操作しつつ、風管２４の先端開口２４ａを地面に向けるように操作して、地面に散る落ち葉を吹き飛ばすようにする。
【００２６】
この背負式ブロワ１０を使用中に、ブロワユニット２０に不具合が生じたときには、背負フレーム１１を素早く地面に下ろす必要が生じる場合がある。この場合には、作業者は、例えば右手をグリップハンドル２５から離し、作業者の左胸部付近に配置された離脱装置３０の回動式レバー３４を装着位置から時計回りまたは反時計回りに４５°回動させて離脱位置とする。回動式レバー３４を離脱位置に回動させることにより、回動式レバー３４の係合フック部３４ｄ，３４ｅがプラグ３１，３２の係合爪部３１ｅ，３２ｅから解離し、プラグ３１，３２がソケット体３３から離脱することにより、下側ストラップ１４ｂ及びチェストストラップ１６（の左側ストラップ１６ａ）が上側ストラップ１４ａから切り離される。これにより、チェストストラップ１６（の左側ストラップ１６ａ）が左側のショルダーストラップ１４に連結された状態が解除されるとともに、左側のショルダーストラップ１４が上下に分離されることによって作業者の肩から外れ、作業者は右側のショルダーストラップ１５だけで背負フレーム１１を担ぐようになる。この状態から、作業者は右側のショルダーストラップ１５を肩から外すだけで、ブロワユニット２０を搭載した背負フレーム１１を下ろすことができるようになった。
【００２７】
上記のように構成した背負式ブロワ１０においては、左側のショルダーストラップ１４はチェストストラップ１６を連結した連結箇所にて分離可能な上側ストラップ１４ａと下側ストラップ１４ｂとを備え、連結箇所には上側ストラップ１４ａと下側ストラップ１４ｂとチェストストラップ１６（の左側ストラップ１６ａ）との３つのストラップ１４ａ，１４ｂ，１６（１６ａ）を連結した状態から、一度の操作により３つのストラップ１４ａ，１４ｂ，１６（１６ａ）のうちの２つのストラップ１４ｂ，１６（１６ａ）を離脱させる離脱装置３０を設けた。
【００２８】
この実施形態では、離脱装置３０は、左側のショルダーストラップ１４の下側ストラップ１４ｂとチェストストラップ１６（の左側ストラップ１６ａ）の各連結端部に設けた２つのプラグ３１，３２と、左側のショルダーストラップ１４の上側ストラップ１４ａの連結端部に固定されて、２つのプラグ３１，３２が挿入されるプラグ挿入孔３３ｃ，３３ｄを有したソケット体３３と、ソケット体３３に回動可能に取り付けられ、プラグ３１，３２の係合爪部３１ｅ，３２ｅが離脱可能に係合する２つの係合フック部３４ｄ，３４ｅを有した回動式レバー３４とを備えている。回動式レバー３４を装着位置としたときには、２つの係合フック部３４ｄ，３４ｅが２つのプラグ３１，３２の係合爪部３１ｅ，３２ｅに係合し、回動式レバー３４を離脱位置としたときには、２つの係合フック部３４ｄ，３４ｅが２つのプラグ３１，３２の係合爪部３１ｅ，３２ｅから一度に解離する。これにより、離脱装置３０の回動式レバー３４を回動させる一度の操作で、チェストストラップ１６を左側のショルダーストラップ１４から切り離すことができるとともに、左側のショルダーストラップ１４が上下に分離されて作業者の肩から外れ、作業者は右側のショルダーストラップ１５だけで背負フレーム１１を背負う状態となる。作業者は右側のショルダーストラップ１５を肩から外すだけとなったので、背負フレーム１１を素早く下ろすことができるようになった。
【００２９】
また、回動式レバー３４を回動させる操作によりソケット体３３から２つのプラグ３１，３２を離脱させるようにしたことで、作業者が作業中に回動式レバー３４を押動するように接触しても、チェストストラップ１６及び一方のショルダーストラップ１４が意図せずに外れることを防ぐことができた。
【００３０】
また、ソケット体３３の内部には回動式レバー３４の位置決め用突部３４ｆに係合して、回動式レバー３４を装着位置に付勢するコイルスプリング３５，３５が設けられている。回動式レバー３４を操作しないときには、回動式レバー３４が装着位置から離脱位置に回動するのを防ぐことができ、背負フレーム１１を背負っているときに、意図せずにチェストストラップ１６及び左側のショルダーストラップ１４が外れないようになった。さらに、回動式レバー３４は円板形をした本体部３４ａの中央部から径方向の両側に内側に凹む凹部を形成して、本体部３４ａの中央部を摘み部３４ｃとしている。このようにしたことにより、回動式レバー３４の摘まみ部３４ｃが外側に突出していないので、作業者の手等に意図せずに当たらないようになり、回動式レバー３４が意図せずに回動するのを防ぐことができた。
【００３１】
上記の実施形態においては、下側ストラップ１４ｂとチェストストラップ１６（の左側ストラップ１６ａ）の連結端部にプラグ３１，３２を設け、上側ストラップ１４ａの連結端部にソケット体３３を設けたが、本発明はこれに限られるものでなく、上側ストラップ１４ａと下側ストラップ１４ｂの連結端部にプラグを設け、チェストストラップ１６（の左側ストラップ１６ａ）の連結端部にソケット体を設けたものであってもよい。同様に、上側ストラップ１４ａとチェストストラップ１６（の左側ストラップ１６ａ）の連結端部にプラグを設け、下側ストラップ１４ｂの連結端部にソケット体を設けたものであってもよい。さらに、上側ストラップ１４ａと下側ストラップ１４ｂとチェストストラップ１６（の左側ストラップ１６ａ）の連結端部にプラグを設けるとともに、ソケット体に３つのプラグを挿入可能として、一度の操作により３つのプラグをソケット体から離脱させるようにしてもよい。
【００３２】
また、図８に示したように、上側ストラップ１４ａと下側ストラップ１４ｂとチェストストラップ１６（の左側ストラップ１６ａ）とを略Ｓ字形をしたフックＨにより連結させ、フックＨに設けたレバーＬを上方に傾動させるようにして、上側ストラップ１４ａと下側ストラップ１４ｂとをフックＨから離脱させるようにしても、上述したように、一度の操作により２つのストラップ１４ａ，１４ｂを離脱させることができることができた。
【００３３】
上記の実施形態は空気を噴出させる背負式ブロワであるが、本発明はこれに限られるものでなく、さらに薬剤等を収容可能なタンクを搭載して、噴出する空気とともに薬剤等を散布する背負式ミストブロワであってもよく、このようにしたときにも同様の作用効果を得ることができる。
【００３４】
また、上記の実施形態においては、背負式作業機として背負式ブロワ１０を用いて説明したが、本発明はこれに限られるものでなく、図９及び図１０に示したように、背負式集塵機１０Ａまたは背負式刈払機１０Ｂ等の背負式作業機にも適用できるものである。具体的には、背負式集塵機１０Ａは、作業者が背負う背負フレーム１１と、背負フレーム１１に搭載したエンジン（原動機）２３と、エンジン２３により駆動されて空気を吸引する集塵ユニット（被動装置）２０Ａと、集塵ユニット２０Ａの吸引ダクト２１Ａａに接続して集塵袋を介装した集塵管２４Ａとを備えている。同様に、背負式刈払機１０Ｂは、作業者が背負う背負フレーム１１と、背負フレーム１１に搭載したエンジン（原動機）２３と、エンジン２３により駆動されて操作棹２７内に設けた動力伝達軸を介して回転駆動する刈込刃２８ａを有した刈込装置（被動装置）２８とを備えている。
【００３５】
これら背負式集塵機１０Ａ及び背負式刈払機１０Ｂにおいても、背負フレーム１１の背板部１２には作業者が背負うための左右一対のショルダーストラップ１４，１５が取り付けられている。左側のショルダーストラップ１４は、一端部が背負フレーム１１の上部に固定された上側ストラップ１４ａと、一端部が背負フレーム１１の下部に固定された下側ストラップ１４ｂとからなり、上側ストラップ１４ａと下側ストラップ１４ｂは各々の他端部を連結端部として互いに離脱可能に連結されている。また、左右一対のショルダーストラップ１４，１５は作業者の胸部の位置にてチェストストラップ１６により連結されている。チェストストラップ１６は左側ストラップ１６ａと右側ストラップ１６ｂとからなり、左右側ストラップ１６ａ，１６ｂがバックル１７により着脱可能に連結されている。左側のショルダーストラップ１４の上下側ストラップ１４ａ，１４ｂの連結位置に離脱装置３０が設けられている。離脱装置３０は上下側ストラップ１４ａ，１４ｂとチェストストラップ１６（の左側ストラップ１６ａ）との３つのストラップを連結した状態から、一度の操作により下側ストラップ１４ｂとチェストストラップ１６（の左側ストラップ１６ａ）とを離脱させるためものである。離脱装置３０の構造は上述した背負式ブロワ１０と同様である。
【００３６】
上記の実施形態においては、原動機にはエンジン２３を用いたが、本発明はこれに限られるものでなく、バッテリ等の電源により駆動する電動モータを用いたものであってもよい。
【００３７】
上記の実施形態においては、離脱装置３０を左側のショルダーストラップ１４の上下側ストラップ１４ａ，１４ｂの連結箇所に設けたが、本発明はこれに限られるものでなく、右側のショルダーストラップ１５はチェストストラップ１６を連結した連結箇所にて分離可能な上側及び下側ストラップを備えるようにし、連結箇所に上述したのと同様に離脱装置３０を設けるようにしてもよく、このようにしたときにも同様の作用効果を得ることができる。
【符号の説明】
【００３８】
１０…背負式作業機（背負式ブロワ）、１０Ａ…背負式作業機（背負式集塵機）、１０Ｂ…背負式作業機（背負式刈払機）、１１…背負フレーム、２０…被動装置、２３…原動機（エンジン）、１４，１５…ショルダーストラップ、１４ａ…上側ストラップ、１４ｂ…下側ストラップ、１６…チェストストラップ、３０…離脱装置、３１，３２…プラグ、３３…ソケット体、３４…回動式レバー、３４ａ…本体部、３４ｃ…摘み部、３４ｄ，３４ｅ…係合フック部、３５…付勢手段（コイルスプリング）。
【図１】
2015083097.tif 000003
【図２】
2015083097.tif 000004
【図３】
2015083097.tif 000005
【図４】
2015083097.tif 000006
【図５】
2015083097.tif 000007
【図６】
2015083097.tif 000008
【図７】
2015083097.tif 000009
【図８】
2015083097.tif 000010
【図９】
2015083097.tif 000011
【図１０】
2015083097.tif 000012